(57)【特許請求の範囲】
【請求項１】
左右方向に平行な軸支部を有するベース部と、前記ベース部の前記軸支部に対して一端部が軸支され、踏み込みされて回動する板型のフットボードとを有するペダル部構造であって、
前記フットボードは、上面と下面とを有する樹脂部と、前記樹脂部の前記上面を覆うと共に踏み込み操作される平坦な踏み込み面を有する板状の表面部を有する金属部とを有し、
前記金属部には、前記表面部から屈曲して前記樹脂部の左右の側部の少なくとも一部を覆う側片部が設けられ、
前記樹脂部の前記上面は平坦で、前記金属部の下面に沿うとともに、前記樹脂部の左右の側面はそれぞれ、前記金属部の左右の前記側片部の各内側面に沿っていることを特徴とするペダル部構造。
【請求項２】
前記金属部にはさらに、前記表面部から屈曲して前記樹脂部の自由端側の部分の少なくとも一部を覆う端片部が設けられたことを特徴とする請求項１記載のペダル部構造。
【請求項３】
前記端片部は、前記表面部の先端が下方において折り返されて前記フットボードの長手方向に重なった複数の片部からなることを特徴とする請求項２記載のペダル部構造。
【請求項４】
左右方向に平行な軸支部を有するベース部と、前記ベース部の前記軸支部に対して一端部が軸支され、踏み込みされて回動する板型のフットボードとを有するペダル部構造であって、
前記フットボードは、上面と下面とを有する樹脂部と、前記樹脂部の前記上面を覆って踏み込み面となる板状の表面部を有する金属部とを有し、
前記金属部には、前記表面部から屈曲して前記樹脂部の左右の側部の少なくとも一部を覆う側片部が設けられ、
前記金属部にはさらに、前記表面部から屈曲して前記樹脂部の自由端側の部分の少なくとも一部を覆う端片部が設けられ、
前記端片部は、前記表面部の先端が下方において折り返されて前記フットボードの長手方向に重なった複数の片部からなることを特徴とするペダル部構造。
【請求項５】
前記樹脂部の前記下面には、複数のリブが前記フットボードの長手方向に形成されていることを特徴とする請求項１〜４のいずれか１項に記載のペダル部構造。
【請求項６】
前記樹脂部の前記上面には、複数のリブが前記フットボードの長手方向に形成されていることを特徴とする請求項１〜３のいずれか１項に記載のペダル部構造。
【請求項７】
前記樹脂部の前記複数のリブのうち少なくとも１つには、補強用の金属材が前記フットボードの長手方向に延設されるよう固定されていることを特徴とする請求項５または６記載のペダル部構造。
【請求項８】
前記フットボードは、打楽器用に構成されることを特徴とする請求項１〜７のいずれか１項に記載のペダル部構造。
【発明の詳細な説明】
【技術分野】
【０００１】
本発明は、打楽器等に適用されるペダル部構造に関する。
【背景技術】
【０００２】
従来、打楽器等に用いられるペダル装置は一般に、ベース部にフットボードが回動自在に軸支され、フットボードが踏み込み操作により回動する。フットボードは、直接に踏み込まれる踏み込み面を有し、板型に構成される。ペダル部構造としては、下記特許文献１等に示されるように、フットボードが金属製としたものが広く知られている。
【０００３】
また、フットボードが金属製でないものも知られている。例えば、ゲーム機用のペダル装置において、フットボードの全体を樹脂で構成したものもある。
【先行技術文献】
【特許文献】
【０００４】
【特許文献１】特開２００８−１４５４６４号公報
【発明の概要】
【発明が解決しようとする課題】
【０００５】
しかしながら、フットボードをアルミダイキャスト等の金属製とした場合は、材料費や加工費がかかりコスト高なペダル部構造となる。
【０００６】
一方、フットボードを樹脂製とした場合は、強度や耐久性が劣る。特に、フットボードは主に長手方向中央部が踏み込まれるが、樹脂製では長手方向の曲げ剛性が低いために変形しやすくなる。
【０００７】
例えば、上記特許文献１のように、フットボードの自由端部に、ベースプレートと当接するリミットストッパを設けた構成においては、踏み込みされるときには、フットボードがベースプレートに軸支される位置と自由端部との２箇所で支持される。すなわち、離間した２点支持の形となるため、踏み込み操作されるフットボードの長手方向中央付近が最も大きく撓もうとするので、高い剛性が必要となる。そのため樹脂製では適切な剛性を確保するのが容易でない。
【０００８】
また、樹脂は金属に比し軽量であるため、軸支部周りのフットボード全体の慣性質量が小さくなり、特にキックペダルに用いた際には踏み込み荷重が小さく感じられ、演奏感が悪くなる。さらに樹脂部が外観全体として現れるため、質感の点でも金属製に劣る。
【０００９】
本発明は上記従来技術の問題を解決するためになされたものであり、その目的は、フットボードの長手方向の高い曲げ剛性を確保しつつコストを削減することができるペダル部構造を提供することにある。
【課題を解決するための手段】
【００１０】
上記目的を達成するために本発明の請求項１のペダル部構造は、左右方向に平行な軸支部（２１）を有するベース部（１１）と、前記ベース部の前記軸支部に対して一端部（２０ａ）が軸支され、踏み込みされて回動する板型のフットボード（２０）とを有するペダル部構造であって、前記フットボードは、上面（３０ａ）と下面（３０ｂ）とを有する樹脂部（３０）と、前記樹脂部の前記上面を覆うと共に踏み込み操作される平坦な踏み込み面（４１ａ）を有する板状の表面部（４１）を有する金属部（４０）とを有し、前記金属部には、前記表面部から屈曲して前記樹脂部の左右の側部（３０ｃ）の少なくとも一部を覆う側片部（４２）が設けられ、前記樹脂部の前記上面は平坦で、前記金属部の下面に沿うとともに、前記樹脂部の左右の側面はそれぞれ、前記金属部の左右の前記側片部の各内側面に沿っていることを特徴とする。
【００１１】
好ましくは、前記金属部にはさらに、前記表面部から屈曲して前記樹脂部の自由端側の部分（３０ｄ）の少なくとも一部を覆う端片部（４３）が設けられる。
【００１２】
好ましくは、前記端片部（４３）は、前記表面部の先端が下方において折り返されて前記フットボードの長手方向に重なった複数の片部（４３Ａ、４３Ｂ）からなる。
【００１３】
上記目的を達成するために本発明の請求項４のペダル部構造は、左右方向に平行な軸支部を有するベース部と、前記ベース部の前記軸支部に対して一端部が軸支され、踏み込みされて回動する板型のフットボードとを有するペダル部構造であって、前記フットボードは、上面と下面とを有する樹脂部と、前記樹脂部の前記上面を覆って踏み込み面となる板状の表面部を有する金属部とを有し、前記金属部には、前記表面部から屈曲して前記樹脂部の左右の側部の少なくとも一部を覆う側片部が設けられ、前記金属部にはさらに、前記表面部から屈曲して前記樹脂部の自由端側の部分の少なくとも一部を覆う端片部が設けられ、前記端片部は、前記表面部の先端が下方において折り返されて前記フットボードの長手方向に重なった複数の片部からなることを特徴とする。
好ましくは、前記樹脂部の前記下面（３０ｂ）には、複数のリブ（３１）が前記フットボードの長手方向に形成されている。
【００１４】
好ましくは、前記樹脂部の前記上面（３０ａ）には、複数のリブ（３２）が前記フットボードの長手方向に形成されている。
【００１５】
好ましくは、前記樹脂部の前記複数のリブのうち少なくとも１つには、補強用の金属材（４４、４５）が前記フットボードの長手方向に延設されるよう固定されている。
【００１６】
なお、上記括弧内の符号は例示である。
【発明の効果】
【００１７】
本発明によれば、フットボードの長手方向の高い曲げ剛性を確保しつつコストを削減することができる。
【００１８】
請求項２によれば、フットボードの左右方向の曲げ剛性を高めると共に、大きな慣性質量を確保することができる。
【００１９】
請求項３によれば、フットボードの慣性質量を効率的に大きくすることができる。
【００２０】
請求項５によれば、フットボードの長手方向の曲げ剛性を確保しつつ樹脂材料を削減することができる。また、樹脂部での音鳴りを抑制することができる。
【００２１】
請求項６によれば、フットボードの長手方向の曲げ剛性を確保しつつ樹脂材料を削減することができる。また、踏み込みにより樹脂部が左右に開くことを抑制すると共に、下側からの見栄えを良くすることができる。
【００２２】
請求項７によれば、フットボードの長手方向の曲げ剛性を高めることができる。
【図面の簡単な説明】
【００２３】
【図１】本発明の第１の実施の形態に係るペダル部構造が適用されるペダル装置の模式的な側面図（図（ａ））、フットボードの側面図（図（ｂ））である。
【図２】フットボードの背面図（図（ａ））、裏面図（図（ｂ））、左右方向に沿う模式的な断面図（図（ｃ））である。
【図３】第２の実施の形態におけるペダル装置のフットボードの背面図（図（ａ））、フットボードの左右方向に沿う模式的な断面図（図（ｂ））である。
【図４】第１、第２の実施の形態における変形例のフットボードの左右方向に沿う模式的な断面図（図（ａ）、（ｂ））、慣性質量を高めるための構成を施した、変形例のフットボードの側面図（図（ｃ）、（ｄ））である。
【発明を実施するための形態】
【００２４】
以下、本発明の実施の形態を図面を参照して説明する。
【００２５】
（第１の実施の形態）
図１（ａ）は、本発明の第１の実施の形態に係るペダル部構造が適用されるペダル装置の模式的な側面図である。
【００２６】
このペダル装置は、例えば、打楽器としてのバスドラムに用いられるキックペダルやハイハットシンバルに用いられるハイハットペダルに好適であるが、それらに限定されず、例えば打楽器以外ではゲーム機のペダル操作子等にも適用可能である。図１（ａ）では、ペダル装置の非踏み込み状態を示している。
【００２７】
このペダル装置は、床面の上に設置されて、フットボード２０の踏み込みにより演奏操作がされる。以降、ペダル装置の前後、上下方向は、水平な床面に載置された状態を基準とし、図１（ａ）の右側、上側が、それぞれ前側、上側とする。
【００２８】
図１（ａ）に示すように、ペダル装置は基台１０を有し、基台１０上に、略板型のフットボード２０が配設される。基台１０は、床面に水平なベース部１１と、ベース部１１から上方に突設されたカバー１２とを有する。カバー１２の後部は上方に延設される。
【００２９】
基台１０のベース部１１の前部にはヒール１９が設けられ、ヒール１９に、左右方向（図１（ａ）の奥行き方向）に沿って軸支部である回動軸２１が設けられる。回動軸２１に、フットボード２０の一端部である前端部２０ａが軸支されている。これにより、フットボード２０は、回動軸２１を中心に自由端部である後端部２０ｂが上下方向（図１（ａ）の時計及び反時計方向）に回動自在になっている。
【００３０】
フットボード２０の後端部２０ｂにはリミットストッパ２２が設けられると共に、延設規制片２３が後方に延設される。
【００３１】
以降、フットボード２０の回動方向については、後端部２０ｂが反時計方向に回動する方向を「踏み込み方向」、時計方向に回動する方向（踏み込み方向の反対方向）を「踏み上げ方向」と呼称する。回動軸２１の軸方向が左右方向であり、フットボード２０の幅方向でもある。
【００３２】
ベース部１１の後半部上面には、アクチュエータ１４と、センサパターンでなるセンサ（不図示）とが備えられる。アクチュエータ１４は、フットボード２０の押し子によって押圧され、上記センサによってフットボード２０の動作が検出される。上記センサの検出信号は、不図示のジャックを通じて出力され、出力された信号は打楽器における楽音発生に供される。
【００３３】
フットボード２０とベース部１１との間には不図示のコイルバネが配設され、コイルバネによってフットボード２０は踏み上げ方向に付勢されると共に、カバー１２の後部天井下部に設けられた不図示のストッパ部に延設規制片２３が当接することで、非踏み込み状態におけるフットボード２０の初期位置が規制される。また、踏み込みされたときには、リミットストッパ２２がベース部１１に当接して、踏み込み方向におけるフットボード２０の回動限界が規制される。
【００３４】
図１（ｂ）は、フットボード２０の側面図である。フットボード２０は、樹脂部３０と金属部４０とが固定されてなる。
【００３５】
図２（ａ）、（ｂ）は、フットボード２０の背面図、裏面図である。図２（ｃ）はフットボード２０の左右方向に沿う模式的な断面図である。
【００３６】
図１（ｂ）、図２（ａ）〜（ｃ）に示すように、樹脂部３０は、フットボード２０全体の平面視形状とほぼ同様の形状を有し（図２（ｂ））、その自由端部３０ｄを除く主部の上面３０ａは平坦である。樹脂部３０の下面３０ｂには、複数のリブ３１がフットボード２０の長手方向に一体に形成されている。リブ３１は左右方向に並列に、互いに平行に配列される。
【００３７】
金属部４０は、板状の表面部４１を有する。表面部４１は樹脂部３０の上面３０ａを覆い、表面部４１の上面が、足で踏み込み操作される平坦な踏み込み面４１ａとなる。表面部４１の左右方向の縁部、及び先端の縁部はいずれも下方に屈曲している。まず、樹脂部３０の左右の側部３０ｃをそれぞれ側方から覆う側片部４２が、表面部４１に連接して設けられる。また、樹脂部３０の自由端部３０ｄを後方から覆う端片部４３が、表面部４１に連接して設けられる。
【００３８】
側片部４２の延設方向は左右方向に対して垂直で踏み込み面４１ａにも垂直である。端片部４３の延設方向はフットボード２０の長手方向に対して垂直で踏み込み面４１ａにも垂直である。ただし、側片部４２、端片部４３は、踏み込み面４１ａに対して垂直に限られず斜めに傾斜していてもよい。金属部４０はアルミや鉄板等の曲げ加工が容易な金属材料で構成され、左右の側片部４２及び後部の端片部４３はいずれも、表面部４１の縁部を下方に折り曲げ加工することで一体に形成される。ただし、側片部４２、端片部４３は別途構成して溶接等で表面部４１に固定してもよい。
【００３９】
金属部４０は、樹脂部３０に対して例えば接着で固定されるが、それに限られない。例えば、ビス止め、あるいはカシメにより固定してもよい。
【００４０】
本実施の形態によれば、フットボード２０を金属部４０及び樹脂部３０で構成したので、全体を金属製とする場合に比し、材料費、加工費を削減することができる。しかも、金属部４０において、表面部４１から屈曲して側片部４２を設けたので、フットボード２０の長手方向における金属部４０の曲げ剛性は高いものとなり、強度や耐久性は維持される。加工も容易である。よって、フットボード２０の長手方向の高い曲げ剛性を確保しつつコストを削減することができる。
【００４１】
さらに、金属部４０において、表面部４１から屈曲して端片部４３を設けたので、フットボード２０の左右方向における金属部４０の曲げ剛性も高いものとなり、フットボード２０の左右方向における曲げ剛性を高めることができる。しかも、端片部４３は、フットボード２０の自由端部（後端部２０ｂ）に位置し、且つ大きな質量を与える部分となるため、軽量な樹脂部３０を採用しつつも、フットボード２０に回動軸２１周りの大きな慣性質量を確保することができる。特にキックペダルに用いた際には踏み込み荷重が十分に大きく感じられ、演奏感が良好である。
【００４２】
また、側片部４２及び端片部４３が、左右及び後方からの外観の一部となり、金属としての認識を高めるので、質感や見栄えの点でも有利となる。
【００４３】
また、リブ３１を設けたことで、フットボード２０の長手方向の曲げ剛性を確保しつつ樹脂材料を削減することができる。また、リブ３１は側面視において凸となるよう長手方向中央部が下方に突出している（図１（ｂ）参照）。これにより、曲げ剛性の確保を効果的にしている。また、リブ３１が下方に延設され、樹脂部３０の上面３０ａは表面部４１の裏面に密着するので、箱型とはならず、樹脂部３０での不要な共鳴（音鳴り）を抑制することができる。
【００４４】
なお、側片部４２及び端片部４３が樹脂部３０の側部３０ｃや自由端部３０ｄ（自由端側の部分）を覆う領域は、少なくとも一部であればよい。
【００４５】
（第２の実施の形態）
第１の実施の形態では、樹脂部３０において、リブ３１を下面３０ｂに設けたが、本発明の第２の実施の形態では上面３０ａに設ける。その他の構成は第１の実施の形態のものと同様である。
【００４６】
図３（ａ）、（ｂ）は、第２の実施の形態におけるペダル装置のフットボード２０の背面図、フットボード２０の左右方向に沿う模式的な断面図である。
【００４７】
図３（ａ）、（ｂ）に示すように、樹脂部３０の自由端部３０ｄを除く主部の下面３０ｂは平坦であり、上面３０ａに、複数のリブ３２がフットボード２０の長手方向に一体に形成されている。リブ３２は左右方向に並列に、互いに平行に配列される。リブ３２の上端は面一であり、リブ３２の上端に金属部４０の表面部４１の裏面が密着し、リブ３２を含む上面３０ａを表面部４１が覆っている。
【００４８】
本実施の形態によれば、フットボード２０の長手方向及び左右方向における高い曲げ剛性を確保しつつコストを削減すること、及び、回動軸２１周りの大きな慣性質量を確保することに関し、第１の実施の形態と同様の効果を奏することができる。
【００４９】
また、リブ３２が上方に突設され、下面３０ｂが平坦となってフットボード２０全体が箱型に構成される。これにより、第１の実施の形態に比し、踏み込みにより樹脂部３０が圧縮力を受けた際、左右に開くことを抑制すると共に、下側からの見栄えを良くすることができる。
【００５０】
ところで、図４で説明するように、ペダル部構造の各種の変形例が考えられる。
【００５１】
図４（ａ）、（ｂ）は、第１、第２の実施の形態における変形例のフットボード２０の左右方向に沿う模式的な断面図である。
【００５２】
図４（ａ）に示すように、第１の実施の形態のペダル部構造において、樹脂部３０の下側において、複数のリブ３１のうち少なくとも１つに補強用の金属材４４を設ける。また、第２の実施の形態のペダル部構造において、樹脂部３０の上側において、複数のリブ３２のうち少なくとも１つに補強用の金属材４５を設ける。図４（ａ）、（ｂ）の例では、左右方向中央のリブ３１−Ｃ（図２（ｂ）参照）、リブ３２−Ｃ（図３（ｂ）参照）にそれぞれ金属材４４、４５を設けている。
【００５３】
これら金属材４４、４５は、フットボード２０の長手方向に延設されるようリブ３１、３２に圧入する等によって固定されるが、固定の手法は問わない。金属材４４、４５を設けたことで、フットボード２０の長手方向の曲げ剛性を一層高めることができる。
【００５４】
図４（ｃ）、（ｄ）は、慣性質量を高めるための構成を施した、変形例のフットボード２０の側面図である。図４（ｃ）、（ｄ）の構成は、第１、第２の実施の形態のいずれにも適用可能であり、図４（ａ）、（ｂ）の構成と組み合わせてもよい。
【００５５】
図４（ｃ）に示す変形例では、自由端部３０ｄの後側において表面部４１の先端が下方に折り曲げられ、さらにその先端が上方に折り返されている。すなわち、端片部４３は、表面部４１の先端が下方において折り返されてフットボード２０の長手方向に重なった片部４３Ａ、４３Ｂからなる。折り返しの回数は２以上でもよく、重なる片部は３枚以上でもよい。質量の大きな片部４３Ａ、４３Ｂをフットボード２０の自由端部（後端部２０ｂ）の位置で重ねることで、フットボード２０の回動軸２１周りの慣性質量を効率的に大きくすることができる。しかも折り返し曲げにより加工でき、製造コストの大きな上昇を招かない。
【００５６】
図４（ｄ）に示す変形例では、別部材の比重の大きな金属等の錘部材４６がフットボード２０の自由端部（後端部２０ｂ）に配設される。錘部材４６は、樹脂部３０に固定されるが、金属部４０に固定してもよい。この構成により、フットボード２０の回動軸２１周りの慣性質量を一層大きくすることができる。
【００５７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５８】
１１  ベース部、  ２０  フットボード、  ２０ａ  前端部（一端部）、  ２１  回動軸（軸支部）、  ３０  樹脂部、  ３０ａ  上面、  ３０ｃ  側部、  ３０ｄ  自由端部、  ３１、３２  リブ、  ４０  金属部、  ４１  表面部、  ４１ａ  踏み込み面、  ４２  側片部、  ４３  端片部、  ４３Ａ、４３Ｂ  片部、  ４４、４５  金属材
【図１】
0005906851.tif 000002
【図２】
0005906851.tif 000003
【図３】
0005906851.tif 000004
【図４】
0005906851.tif 000005